(57)【要約】【課題】  病室に至る経路においても訪問者を把握して病室まで案内し、訪問者に関係のない病室や侵入禁止箇所への侵入があったら訪問者に対して警告を発する。【解決手段】  病棟の入口に設置され、訪問者が自身の情報及び見舞先の患者氏名等のＩＤ情報を入力して訪問者に対してＲＦＩＤカードを発券する受付装置１と、入力されたＩＤ情報を記憶し、訪問者に発券したＲＦＩＤカード２の情報を記憶するサーバ３と、病院内の適宜箇所に設置されてＲＦＩＤカード２を読み取る複数のＲＦＩＤ読取機４と、病院内の廊下等の通路の適宜箇所に設置されて訪問者を案内するための複数の案内装置５と、ＲＦＩＤ読取機４が読み取ったＲＦＩＤ情報から訪問者の居場所を判断し、案内装置５により目的とする病室の方向を案内する制御を行う制御機１３とを備えた。【選択図】  図１
2009110294.tif 000002
【特許請求の範囲】
【請求項１】
病院或いは病棟の入口付近に設置され、訪問者が自身の情報及び見舞先の患者氏名等のＩＤ情報を入力するための入力部、入力されたＩＤ情報を表示するためのディスプレイ、及びＲＦＩＤカードを発券する発券部を備えた受付装置と、
患者情報及び入力されたＩＤ情報、更には訪問者に発券したＲＦＩＤ情報を記憶するサーバと、
病院内の適宜箇所に設置されて、前記ＲＦＩＤカードを読み取る複数のＲＦＩＤ読取機と、
病院内の廊下等の通路の適宜箇所に設置されて、訪問者を案内するための複数の案内装置と、
前記ＲＦＩＤ読取機が読み取ったＲＦＩＤ情報及び前記サーバに記憶された患者情報を基に、訪問者の居場所を判断して前記案内装置により目的とする病室の方向を案内する制御を行う誘導制御手段とを備えたことを特徴とする病室訪問者管理システム。
【請求項２】
病院或いは病棟の入口付近に設置され、訪問者が自身の情報及び見舞先の患者氏名等のＩＤ情報を入力するための入力部、入力されたＩＤ情報を表示するためのディスプレイ、及び訪問者が所持し、ＲＦＩＤ情報を備えたＩＣタグが組み込まれたＩＤ装置の識別情報を読み取るＲＦＩＤ読取部を備えた受付装置と、
入力されたＩＤ情報を蓄積すると共に、訪問者から読み取った識別情報を記憶するサーバと、
病院内の適宜箇所に設置されて、前記ＩＤ装置から識別情報を読み取る複数のＲＦＩＤ読取機と、
病院内の廊下等の通路の適宜箇所に設置されて、訪問者を案内するための複数の案内装置と、
前記ＲＦＩＤ読取機が読み取ったＲＦＩＤ情報及び前記サーバに記憶された患者情報を基に、訪問者の居場所を判断して前記案内装置により目的とする病室の方向を案内する制御を行う誘導制御手段とを備えたたことを特徴とする病室訪問者管理システム。
【請求項３】
前記ＩＤ装置は、訪問者の所持する携帯電話に内蔵されることを特徴とする請求項２記載の病室訪問者管理システム。
【請求項４】
病室内に前記ＲＦＩＤ読取機が設置されると共に、前記案内装置が病室の入口付近及び病室内のうち少なくとも入口付近に設置される一方、前記案内装置は警告音を発報する報知手段を有し、
前記誘導制御手段は、前記病室内に設置されたＲＦＩＤ読取機の受信情報から、入室した訪問者が入室を許可されているかどうか判断し、入室が許可されていないと判断したら前記報知手段を報知動作させることを特徴とする請求項１乃至３の何れかに記載の病室訪問者管理システム。
【請求項５】
前記ＲＦＩＤ読取機は前記案内装置に対して少なくとも１台設置され、
前記誘導制御手段は、前記ＲＦＩＤ読取機の情報から訪問者が誤った通路を通っていると判断したら、所在を検知した場所の前記案内装置から警告音を発報させる制御を行うことを特徴とする請求項１乃至４の何れかに記載の病室訪問者管理システム。
【請求項６】
看護師を呼び出すために個々のベッドに設置されたナースコール子機と、患者からの呼び出しを病室前で表示する廊下灯と、患者からの呼び出しに応答する為にナースステーションに設置されたナースコール親機と、前記ナースコール子機とナースコール親機の間の通信を制御する制御機とを備え、
前記誘導制御手段は、前記制御機に組み込まれると共に、訪問者が許可されていない病室に入室したと判断した場合に前記ナースコール親機に対して病室情報を含む不審者信号を送信し、前記ナースコール親機において前記病室情報を含む不審者情報を表示可能としたことを特徴とする請求項４記載の病室訪問者管理システム。
【請求項７】
看護師が携行して患者からの呼び出しに応答するための携帯型ナースコール親機を備えている場合は、前記誘導制御手段は前記不審者信号を前記携帯型ナースコール親機にも送信し、前記携帯型ナースコール親機においても前記病室情報を含む不審者情報を表示可能としたことを特徴とする請求項６記載の病室訪問者管理システム。
【請求項８】
前記複数の案内装置の少なくとも一部は、前記廊下灯と一体に形成されてなることを特徴とする請求項６又は７記載の病室訪問者管理システム。
【発明の詳細な説明】
【技術分野】
【０００１】
本発明は、不審者の侵入を防止するために入院患者を訪問する見舞者等の病室訪問者を管理する病室訪問者管理システムに関する。
【背景技術】
【０００２】
病院において、入院患者を訪問する見舞者等の訪問者を管理する病室訪問者管理システムとしては、特許文献１に開示された技術がある。この特許文献１では、訪問者に対してＲＦＩＤカードを発券し、ＲＦＩＤカードを訪問者に携行させることで廊下灯に設けた受信装置がそれを読み取って認識し、認識した情報をナースコール親機等に通知し表示させる制御を実施することで、訪問者の入退管理を行うものであった。
【０００３】
【特許文献１】特開２００５−１９１７１３号公報
【発明の開示】
【発明が解決しようとする課題】
【０００４】
上記特許文献１の技術は、ＲＦＩＤカード発券時に登録した訪問先の病室に訪問者が入ったかどうかナースコール親機で把握できるし、面会時間が終了しても訪問者が残っている場合は、その情報をナースコール親機等で把握することができる利点があった。
しかし、病室に入るまで訪問者の所在を管理できないため、訪問者が訪問先の病室が分からなくなった場合は、相変わらずナースステーションまで行き従来通り看護師に患者の病室を聞かなければならなかった。また、登録した病室とは異なる病室等に入った場合、それを訪問者に通知することがなかったため、訪問者が病院荒らし等の悪意を持っている場合であっても、犯罪発生後でなければそれが把握できなかったし、犯罪が発生した際に直ちに現場に急行できなかった。
【０００５】
そこで、本発明はこのような問題点に鑑み、病室に至る経路においても訪問者を把握して病室までの誘導を可能とし、訪問者に関係のない病室や侵入禁止箇所への侵入があったら訪問者に対して警告を発することを可能とする病室訪問者管理システムを提供することを目的としている。
【課題を解決するための手段】
【０００６】
上記課題を解決する為に、請求項１の発明に係る病室訪問者管理システムは、病院或いは病棟の入口付近に設置され、訪問者が自身の情報及び見舞先の患者氏名等のＩＤ情報を入力するための入力部、入力されたＩＤ情報を表示するためのディスプレイ、及びＲＦＩＤカードを発券する発券部を備えた受付装置と、入力されたＩＤ情報を蓄積すると共に、訪問者に発券したＲＦＩＤ情報を記憶するサーバと、病院内の適宜箇所に設置されて、ＲＦＩＤカードを読み取る複数のＲＦＩＤ読取機と、病院内の廊下等の通路の適宜箇所に設置されて、訪問者を案内するための複数の案内装置と、ＲＦＩＤ読取機が読み取ったＲＦＩＤ情報及びサーバに記憶された患者情報を基に、訪問者の居場所を判断して案内装置により目的とする病室の方向を案内する制御を行う誘導制御手段とを備えたことを特徴とする。
この構成によれば、病室に至る廊下等の経路の途中に訪問者がいても、その位置を認識することで、案内装置に訪問者が進むべき方向を表示させることができる。よって、訪問者は案内装置の誘導に従って進むことで目的とする病室にスムーズに進むことができ、病棟が広くても迷うことがないし、その都度看護師を探して訪ねる必要も無くなる。
【０００７】
請求項２の発明に係る病室訪問者管理システムは、病院或いは病棟の入口付近に設置され、訪問者が自身の情報及び見舞先の患者氏名等のＩＤ情報を入力するための入力部、入力されたＩＤ情報を表示するためのディスプレイ、及び訪問者が所持し、ＲＦＩＤ情報を備えたＩＣタグが組み込まれたＩＤ装置の識別情報を読み取るＲＦＩＤ読取部を備えた受付装置と、入力されたＩＤ情報を蓄積すると共に、訪問者から読み取った識別情報を記憶するサーバと、病院内の適宜箇所に設置されて、ＩＤ装置から識別情報を読み取る複数のＲＦＩＤ読取機と、病院内の廊下等の通路の適宜箇所に設置されて、訪問者を案内するための複数の案内装置と、ＲＦＩＤ読取機が読み取ったＲＦＩＤ情報及びサーバに記憶された患者情報を基に、訪問者の居場所を判断して案内装置により目的とする病室の方向を案内する制御を行う誘導制御手段とを備えたことを特徴とする。
この構成によれば、病室に至る廊下等の経路の途中に訪問者がいても、その位置を認識することで、案内装置に訪問者が進むべき方向を表示させることができる。よって、訪問者は案内装置の誘導に従って進むことで目的とする病室にスムーズにたどり着くことができ、病棟が広くても迷うことがないし、その都度看護師を探して訪ねる必要も無くなる。また、訪問者が所持しているＩＤ装置を使用することでＲＦＩＤカード等を別途発券する必要がない。
【０００８】
請求項３の発明は、請求項１又は２に記載の発明において、ＩＤ装置は、訪問者の所持する携帯電話に内蔵されることを特徴とする。
この構成によれば、携帯電話を利用するため訪問者に対してＲＦＩＤカード等を別途所持する必要が無い。
【０００９】
請求項４の発明は、請求項１乃至３の何れかに記載の発明において、病室内にＲＦＩＤ読取機が設置されると共に、案内装置が病室の入口付近及び病室内のうち少なくとも入口付近に設置される一方、案内装置は警告音を発報する報知手段を有し、誘導制御手段は、病室内に設置されたＲＦＩＤ読取機の受信情報から、入室した訪問者が入室を許可されているかどうか判断し、入室が許可されていないと判断したら報知手段を報知動作させることを特徴とする。
この構成によれば、訪問者は訪問先ではない病室へ入ってしまった場合には警告音により速やかにそれを認識できるし、病院荒らし等悪意を持った訪問者に対しては、警報を発することで威嚇でき、犯罪防止に効果を奏する。
【００１０】
請求項５の発明は、請求項１乃至４の何れかに記載の発明において、ＲＦＩＤ読取機は案内装置に対して少なくとも１台設置され、誘導制御手段は、ＲＦＩＤ読取機の情報から訪問者が誤った通路を通っていると判断したら、所在を検知した場所の案内装置から警告音を発報させる制御を行うことを特徴とする。
この構成によれば、訪問者は自身が間違った方向に進んでいることを認識でき、間違った場所や病室に入るのを防止できる。
【００１１】
請求項６の発明は、請求項４に記載の発明において、看護師を呼び出すために個々のベッドに設置されたナースコール子機と、患者からの呼び出しを病室前で表示する廊下灯と、患者からの呼び出しに応答する為にナースステーションに設置されたナースコール親機と、ナースコール子機とナースコール親機の間の通信を制御する制御機とを備え、誘導制御手段は、制御機に組み込まれると共に、訪問者が許可されていない病室に入室したと判断した場合にナースコール親機に対して病室情報を含む不審者信号を送信し、ナースコール親機において病室情報を含む不審者情報を表示可能としたことを特徴とする。
この構成によれば、不審な行動をする訪問者の情報はナースコール親機に通知されるので、ナースコール親機において表示或いは発報等を実施できる。よって、看護師は不審者を認識し易く、問題発生前に対処することが可能となる。そして、病院において不可欠なナースコールシステムを構成する制御機に誘導制御手段を組み込むことで、別途設置する必要がなくなりコストの削減を図ることができる。
【００１２】
請求項７の発明は、請求項６に記載の発明において、看護師が携行して患者からの呼び出しに応答するための携帯型ナースコール親機を備えている場合は、誘導制御手段は不審者信号を携帯型ナースコール親機にも送信し、携帯型ナースコール親機においても病室情報を含む不審者情報を表示可能としたことを特徴とする。
この構成によれば、ナースステーションに看護師がいなくても、看護師は不審な行動をする訪問者を把握でき、問題発生前に対処することが可能となる。
【００１３】
請求項８の発明は、請求項６又は７記載の発明において、複数の案内装置の少なくとも一部は、廊下灯と一体に形成されてなることを特徴とする。
この構成によれば、案内装置を新たに設置する必要がなく、コストを削減できる。
【発明の効果】
【００１４】
本発明によれば、訪問者は案内装置の誘導に従って進めば目的とする病室にスムーズに進むことができるので、病棟が広くても迷うことがないし、看護師を探して訪ねる必要も無くなる。また、訪問先として設定されていない病室へ入ってしまった場合には警告音により速やかにそれを認識できるし、病院荒らし等悪意を持った訪問者に対しては、警報を発することで威嚇でき、犯罪防止に効果を奏する。
更に、ナースコールシステムを構成するナースコール親機に、訪問者が訪問すべき病室と異なる病室等に侵入した場合に、その訪問者の情報を表示させることで、看護師は不審者を認識し易く、問題発生前に対処することができるし、病院において不可欠なナースコールシステムと一体に構成することで、コスト削減を図ることができる。
【発明を実施するための最良の形態】
【００１５】
以下、本発明を具体化した実施の形態を、図面に基づいて詳細に説明する。図１は本発明に係る病室訪問者管理システムの一例を示す構成図であり、１は訪問者が入院患者を訪問するにあたり所定の操作（後述）等を行うための受付装置、２は受付装置１により発券されたＲＦＩＤ（Ｒａｄｉｏ  Ｆｒｅｑｕｅｎｃｙ  Ｉｄｅｎｔｉｆｉｃａｔｉｏｎ）カード、３は患者情報やＲＦＩＤ情報等を記憶しているサーバ、４はＲＦＩＤカード等からＲＦＩＤ情報を読み取るＲＦＩＤ読取機、５は訪問者に対して病室を案内するための案内装置、６は訪問者が所持している携帯電話、７は患者が看護師を呼び出すためにベッド毎に設置されたナースコール子機、８は患者からの呼び出しを表示する廊下灯、９はナースコール子機７からの呼び出しに応答するためにナースステーションに設置されたナースコール親機、１０は看護師がナースステーション以外の場所で患者からの呼び出しに応答するための携帯型ナースコール親機（以下、携帯端末とする）、１１は携帯端末１０と無線通信する無線基地局、１２は携帯端末１０との通信を制御する交換機、１３は受付装置１、案内装置５、廊下灯８、ナースコール親機９、交換機１２の間の通信を制御する制御機である。尚、Ａは訪問者を示している。
【００１６】
ナースコール子機７は、病室毎に子機伝送線Ｌ１を介して廊下灯８に接続され、廊下灯８は廊下灯幹線Ｌ２を介して制御機１３に接続されている。また、ＲＦＩＤ読取機４は読取機通信線Ｌ３で案内装置５に接続され、案内装置５は廊下灯８と同様に廊下灯幹線Ｌ２を介して制御機１３に接続されている。そして、受付装置１、ナースコール親機９、交換機１２は夫々通信線Ｌ４，Ｌ５，Ｌ６により制御機１３に接続され、サーバ３は通信線Ｌ７により受付装置１に接続されている。更に、基地局１１は通信線Ｌ８により交換機１２に接続されている。
【００１７】
受付装置１は、病院の出入口付近或いは病棟の出入口付近に設置され、訪問者が自己の氏名や訪問先の入院患者の氏名等のＩＤ情報を入力するためのタッチパネルで構成された入力部１ａと、入力部１ａの操作により入力されたＩＤ情報を表示するためのＬＣＤ（Ｌｉｑｕｉｄ  Ｃｒｙｓｔａｌ  Ｄｉｓｐｌａｙ）から構成されるディスプレイ１ｂと、入力部１ａの操作によりＩＤ情報が入力されたらＲＦＩＤカード２を発券するためのカード発券部１ｃと、訪問者がＲＦＩＤチップ等のＩＤ装置６ａを搭載した携帯電話６を所持している場合は、その携帯電話６のＲＦＩＤ情報を読み取るＲＦＩＤ読取部１ｄとを備えている。
【００１８】
サーバ３は、ナースステーション内または病院内の共用部に設置され、パーソナルコンピュータ等で構成され、入院患者全ての住所、氏名等の患者ＩＤ情報や、受付装置１から入力された訪問者の氏名等の訪問者ＩＤ情報、更には発券したＲＦＩＤカード２のＲＦＩＤ情報や訪問者の携帯電話６から読み取ったＲＦＩＤ情報が記憶されている。
【００１９】
案内装置５は、病院内の廊下等通路の主要な交差部を始め適宜位置に設置され、接近してきた訪問者に目的とする病室の方向を矢印等所定のパターン（詳述せず）で表示するＬＣＤから成る方向表示部５ａと、警報音を発報するスピーカ５ｂが備えられている。そして、接続されているＲＦＩＤ読取機４がＲＦＩＤカード２或いはＩＤ装置６ａを搭載した携帯電話６からＩＤ情報を読み取ったら、その情報を制御機１３に送信する制御を行う。
【００２０】
ＲＦＩＤ読取機４は、ＲＦＩＤカード、或いは携帯電話６が例えば１メートル程度に近づいたら、それらからＩＤ情報を自動的に読み取る。即ち、訪問者が、ＲＦＩＤ読取機４に接近したら、受付装置１において登録した或いは携帯電話６から読み取られたＩＤ情報が読み取られる。
【００２１】
ナースコール子機７は、看護師を呼び出すための呼出ボタン（図示せず）と、通話を行うためのマイク及びスピーカ（図示せず）を備えると共に、ＲＦＩＤ読取機４の機能も備え、読み取ったＲＦＩＤ情報を廊下灯８へ送信する。
【００２２】
廊下灯８は、病室ごとに出入口付近の廊下に設置され、個々に廊下灯番号（詳述せず）を有しており、ナースコール子機７からの呼び出しを呼出種別毎に検出して表示する表示灯８ａと、患者情報を表示するＬＣＤから成る患者情報表示部８ｂを備えている。また、案内装置５としての機能を有し、患者情報表示部８ｂは、自病室内へ訪問者が訪問中であることや、廊下灯８に接近した訪問者に経路案内を所定のパターンで表示する方向表示部８ｃを兼ねている。そして、訪問者に対して間違った場所に来ていることを通知する（警告する）スピーカ８ｄを備えると共に、ＲＦＩＤ読取機４が接続され、受信したＩＤ情報を制御機１３に送信する。
【００２３】
ナースコール親機９は、ナースステーションに設置されてナースコール子機７からの呼び出しが成されたら呼出種別毎に所定のパターンで報知すると共に、訪問者が訪問する患者とは関係のない病室に侵入した場合に報知させためのスピーカ９ａと、呼び出しを確認した看護師が呼出元の患者と通話を成立させるためのハンドセットから成る通話部９ｂと、何れの病室に訪問者が訪問していか表示するＬＣＤから成る表示部９ｃと、入院患者との間で通話が成立されていることを所定のパターン（詳述せず）で表示する通話表示部９ｄが備えられている。
【００２４】
携帯端末１０は、ＰＨＳ（Ｐｅｒｓｏｎａｌ  Ｈａｎｄｙｐｈｏｎ  Ｓｙｓｔｅｍ）で構成され、個々に端末番号（詳述せず）を有して複数の看護師が携行して使用される。そして、ナースコール子機７から呼び出しが成されたら呼出種別毎に所定のパターンで報知し、これを確認した看護師が応答操作すると呼出元の患者との間で通話が可能となる。
【００２５】
制御機１３は、機器間の通信を制御する制御部１４と、制御個々の病室の場所情報や廊下等通路の病院内の地図情報を記憶した地図情報記憶部１３ａとを有している。制御部１４は、受付装置１で入力された訪問者ＩＤ情報と目的とする患者の居る病室位置とを関連付けて病室までの経路を導き出す経路演算部１３ｂ、訪問者が入った場所が許可された病室かどうか判断する入室判定部１３ｃの機能を備え、案内装置５を制御している。
【００２６】
このように構成された病室訪問者管理システムは次のように動作する。訪問者は、先ず受付装置１の入力部１ａに自己の氏名や訪問先の入院患者の氏名等のＩＤを入力する。入力されたＩＤは、ディスプレイ１ｂの画面上に表示されるばかりでなくサーバ３に記憶される。サーバ３は、予め記憶されている全ての入院患者に関する患者情報の中から入力されたＩＤに対応した入院患者に関する患者情報を読み出す。
【００２７】
サーバ３から読み出された患者情報は、ＲＦＩＤカード２に記憶されてカード発券部１ｃから発券される。一方、訪問者がＩＤ装置６ａを搭載した携帯電話６を所持している場合は、そのＲＦＩＤデータがＲＦＩＤ読取部１ｄで読み取られると共に、読み出された患者情報はこのＲＦＩＤに紐付けされて携帯電話６に記憶され、ＲＦＩＤカードは発券されない。尚、ここでは訪問者の訪問先が１０１号室の入院患者であるとして説明する。
【００２８】
こうして受付装置１での入力操作が終了すると、サーバ３はＲＦＩＤカード２又は携帯電話６の情報と、受付装置１に入力された患者に関する患者情報として、ナースコール子機７の子機番号、患者の部屋番号「１０１」に対応した廊下灯番号とを付加させた訪問情報信号Ｓ１を作成して制御機１３へ送信する。制御機１３は、送信された訪問情報信号Ｓ１を記憶し、発券されたＲＦＩＤカード２或いは携帯電話６を所持した訪問者に対して案内動作が開始される。
【００２９】
手続を終了した訪問者が目的とする病室方向へ進み、ＲＦＩＤ読取機４に近づく度に携行しているＲＦＩＤカード、或いは携帯電話６のＩＤ情報（以下、訪問者のＩＤ情報とする）が読み取られて、案内装置５、或いは廊下灯８を経由して制御機１３に送信される。
制御機１３は、送信されたＩＤ情報を基に、経路演算部１３ｂが目的とする病室までの経路を導き出し、その方向情報がＩＤ情報を送信した案内装置５に送信される。こうして、案内装置５の方向表示部５ａに進むべき方向が矢印で表示される。
【００３０】
また制御機１３は、廊下灯８から訪問者のＩＤ情報を受信したら、経路演算部１３ｂが、そのＩＤ情報と訪問者情報信号Ｓ１に含まれるＩＤ情報とを比較し、一致しない場合には方向表示部８ｃに訪問者が誤った病室の前にいることを表示させる。その後、目的とする病室までの経路を導き出して、その方向情報を廊下灯８に送信する。こうして、方向表示部８ｃには進むべき方向が矢印等で表示される。
更に、制御機１３の経路演算部１３ｂは、送信元の案内装置５或いは廊下灯８の位置情報から、例えば異なるフロア等、進むべき経路から大きく外れた場所に訪問者が居ると判断した場合、更には予め設定された侵入禁止箇所に入ったと判断した場合は、送信元の案内装置５或いは廊下灯８に発報制御信号を送信し、案内装置５のスピーカ５ｂ、或いは廊下灯８のスピーカ８ｄから警報音を報音させる。
【００３１】
こうして、案内に従って進んだ訪問者が１０１号室に辿り着き病室内に入ったら、ナースコール子機７に設置されたＲＦＩＤ読取機４がそれを検知し、１０１号室の廊下灯８を経由して、その信号が制御機１３に伝送される。制御機１３は、入室判定部１３ｃの制御により、１０１号室の廊下灯８に、訪問中であることを表示させる返信を行い、方向表示部８ｃには訪問者が入室中であることが表示される。
【００３２】
一方、１０１号室を訪問する筈の訪問者が、例えば２０１号の病室に入室した場合、病室内のナースコール子機７に設置されたＲＦＩＤ読取機４が同様に訪問者のＩＤ情報を検知する。検知されたＩＤ情報は、２０１号室の廊下灯８を経由して制御機１３に送信され、制御機１３の入室判定部１３ｃにより判定され、入手した訪問情報信号Ｓ１から訪問者に入室を許可している病室は１０１号室であるため、間違った病室へ入室した（許可していない病室等に入った）と判断し、２０１号室の廊下灯８の方向表示部８ｃに訪問者が誤って入室中であることを表示させると共に、スピーカ８ｄからその旨を通知する通知音を報音させる制御信号が返信される。
【００３３】
このような動作により、間違えて入室した訪問者は、廊下灯の表示及び通知音により間違っていることを認識できるし、２０１号室の出入口近傍に居る看護師等は、２０１号室内に誤って、あるいは悪意を持って訪問者が訪問中であることを容易に確認でき、悪意を持たずに誤って入室した訪問者も誤入室に気づいて退室を容易とし、更に病院荒らし等の悪意を持った人物に対しては威嚇することで犯罪防止に効果を奏する。
【００３４】
更に制御機１３の入室判定部１３ｃは、このような場合、即ち訪問者に対して許可されていない病室や侵入禁止箇所への侵入を検知したら、病室情報と訪問者情報から成る不審者侵入信号Ｓ２をナースコール親機９、及び携帯端末１０にも送信する。ナースコール親機９は、この不審者侵入信号Ｓ２を受けて、病室番号と訪問者情報を表示部９ｃに表示し、看護師に対して不審な行動をする来訪者が２０１号室にいることを通知すると共にスピーカ９ａから警報音を報音させる。また、不審者侵入信号Ｓ２を受信した携帯端末１０は、表示部１０ａに病室番号及び訪問者情報を表示する。
【００３５】
このように、訪問者は案内装置の誘導に従って進むことで目的とする病室にスムーズに進むことができるので、病棟が広くても迷うことがないし、その都度看護師を探して訪ねる必要も無くなる。また、訪問者が携帯電話等のＩＤ装置を内蔵した機器を携行している場合は、ＲＦＩＤカード等を別途発券する必要がない。
また、訪問者は目的とする病室へ進む経路から大きく外れた場所にいる場合は、案内装置から発せられる警報音により自身が間違った方向に進んでいることを認識でき、間違った場所や病室に入るのを防止できる。
更に、不審な行動をする訪問者の情報はナースコール親機に通知されるので、ナースコール親機において表示或いは発報等を実施でき、看護師は不審者を認識し易く、問題発生前に対処することが可能となる。そして、病院において不可欠なナースコールシステムを構成する制御機に誘導制御手段を組み込み、廊下灯に案内装置の機能を組み込むことで、別途誘導制御手段や案内装置を設置する必要がなくなりコストの削減を図ることができる。
また、看護師が携行する携帯端末へも不審者の情報が送信されるのでナースステーションに看護師がいなくても、看護師は不審な行動をする訪問者を把握でき、問題発生前に対処することが可能となる。
【００３６】
尚、上記実施形態では、案内装置５の表示部５ａをＬＣＤで構成しているが、複数のＬＥＤで矢印等を表示できるように構成しても良い。また、案内装置５、廊下灯８は近傍にＲＦＩＤ読取機４を別体として設置しているが、何れも、本体内にＲＦＩＤ読取機４を組み込んでも良い。
また、病室内には案内装置５を設置していないが、ナースコール子機７に組み込んだＲＦＩＤ読取機４を接続する案内装置５を廊下灯８と分離して病室内に設置してもよく、間違った病室に入った訪問者に対して病室内でも通報を実施でき訪問者はそれを認識し易いし、病院荒らしに対して大きく威嚇する効果を奏する。
更に、訪問者が間違った病室等に入室した場合を判断する入室判定部を制御機１３に設けているが、個々の廊下等８に設けても良い。訪問情報信号Ｓ１を個々の廊下灯８に保持させれば、訪問者ＩＤを受信した個々の廊下灯８において、入室した訪問者が許可された人であるか判断することができ、応答スピードを上げることができる。
【図面の簡単な説明】
【００３７】
【図１】本発明に係る病室訪問者管理システムの一例を示す構成図である。
【符号の説明】
【００３８】
１・・受付装置、１ａ・・入力部、１ｂ・・ディスプレイ、１ｃ・・カード発券部、１ｄ・・ＲＦＩＤ読取部、２・・ＲＦＩＤカード、３・・サーバ、４・・ＲＦＩＤ読取機、５・・案内装置、５ａ・・方向表示部、５ｂ・・スピーカ（報知手段）、６・・携帯電話（ＩＤ装置）、６ａ・・ＩＤ装置、７・・ナースコール子機（ＲＦＩＤ読取手段）、８・・廊下灯（案内手段）、８ｃ・・方向表示部、８ｄ・・スピーカ、９・・ナースコール親機、９ａ・・スピーカ、９ｃ・・表示部、１０・・携帯型ナースコール親機、１３・・制御機、１３ａ・・地図情報記憶部、１３ｂ・・経路演算部（誘導制御手段）、１３ｃ・・入室判定部（誘導制御手段）。
【図１】
2009110294.tif 000003